(57)【要約】【解決手段】袖口から肩方向に向かって５〜５０ｃｍの長さで開閉可能なファスナーを取り付けることにより、袖を大きく広げることにより、前腕部内側を開放することを可能とする機能と、袖を前腕部全体に亘り円滑に捲くり上げることを可能とした機能を有するパジャマ。【効果】袖を大きく広げることにより、前腕部内側を開放することを可能とし、袖を前腕部全体に亘り迅速に捲くり上げることを可能とし、巻き上げた袖からの上腕部に対する物理的な圧迫力と心理的な圧迫感が解消され、透析治療の処置そのものも円滑に遂行することを可能とする。【選択図】  図１
0003141385.tif 000002
【実用新案登録請求の範囲】
【請求項１】
袖口から肩方向に向かって５〜５０ｃｍの長さで開閉可能なファスナーを取り付けることにより、袖を大きく広げることにより、前腕部内側を開放することを可能とする機能と、袖を前腕部全体に亘り円滑に捲くり上げることを可能とした機能を有するパジャマ。
【請求項２】
袖口から肩方向に向かって２５〜３５ｃｍの長さで開閉可能なファスナーを取り付けることにより、袖を大きく広げることにより、前腕部内側を開放することを可能とする機能と、袖を前腕部全体に亘り円滑に捲くり上げることを可能とした機能を有するパジャマ。
【請求項３】
袖口に親指に引っ掛けるためのループを設けた請求項１又は２に記載したパジャマ。
【考案の詳細な説明】
【技術分野】
【０００１】
本考案は、袖口から肩方向に向かって約３０ｃｍの長さで開閉可能なファスナーを取り付けることにより、袖を大きく広げることにより、前腕部内側を開放することを可能とし、袖を前腕部全体に亘り迅速に捲くり上げることが可能なパジャマに関する。
【背景技術】
【０００２】
一般的に、血液透析(人工透析)患者は、透析治療を行なうために、事前に、外科手術により、動脈側より血液を取り出し静脈側に返すためのシャント(ブラッドアクセス)を、前腕部に造設しておく。
【０００３】
予め前腕部にシャント(ブラッドアクセス)を造設した血液透析（人工透析）患者は、血液透析（人工透析）治療を受ける際に、シャント（ブラッドアクセス）を介して動脈側より血液を取り出し、取り出した血液を透析装置で透析した後、透析を終えた血液を、シャント（ブラッドアクセス）を介して静脈側に返すという処置を受ける。
【０００４】
この血液透析（人工透析）治療を受ける際には、患者前腕部に造設したシャント(ブラッドアクセス)に、人工透析装置の血液回路を接続するために、患者が着用しているパジャマの袖を捲くり上げる必要がある。
【０００５】
従来の市販のパジャマ、又は、通常の患者用のパジャマを着用する場合には、パジャマの袖が捲り上げにくいという問題点と、長時間に亘る処置を受けている途中に捲り上げた袖が落ちてきてしまうという問題点があった。
【０００６】
【特許文献１】実開平０７−０２８９１５号には、面ファスナー（マジックテープ（登録商標））により袖を開くことができるパジャマが開示されている。
【０００７】
然るに、このようなパジャマは、面ファスナー（マジックテープ（登録商標））はゴワゴワして、着用したときにファスナー部分と繊維部分の可撓性が異なるがゆえに、着用者が違和感を感じると共に、面ファスナーを外した際に、ファスニング面が肌に触れるとチクチクして不快感があった。
【考案の開示】
【考案の効果】
【０００８】
本考案に係るパジャマは、衣類の袖口から肩方向に向かって約３０ｃｍの長さで開閉可能なファスナーを取り付けることにより、袖を大きく広げることにより、前腕部内側を開放することを可能とし、袖を前腕部全体に亘り迅速に捲くり上げることを可能とし、巻き上げた袖からの上腕部に対する物理的な圧迫力と心理的な圧迫感が解消され、透析治療の処置そのものも円滑に遂行することを可能とする効果を奏する。
【考案が解決しようとする課題】
【０００９】
実開平０７−０２８９１５号に開示されているパジャマのように、面ファスナー（マジックテープ（登録商標））がゴワゴワして、着用したときにファスナー部分と繊維部分の可撓性が異なるがゆえに、着用者が違和感を感じるという問題点、面ファスナーを外した際に、ファスニング面が肌に触れてチクチクする不快感があるという問題点があった。
【００１０】
また、血液透析（人工透析）治療を受ける患者が、治療を受ける際に、患者前腕部に造設したシャント(ブラッドアクセス)に、人工透析装置の血液回路を接続するために、患者が着用しているパジャマの袖を捲くり上げる必要があるわけであるが、従来の市販のパジャマ、又は、通常の患者用のパジャマを着用する場合には、パジャマの袖が捲り上げにくいという問題点と、長時間に亘る処置を受けている途中に捲り上げた袖が落ちてきてしまうという問題点があった。
【００１１】
本考案が解決しようとする課題は、これらの従来のパジャマにおける問題点を解消したパジャマを提供することである。
【課題を解決するための手段】
【００１２】
［請求項１］  袖口から肩方向に向かって５〜５０ｃｍの長さで開閉可能なファスナーを取り付けることにより、袖を大きく広げることにより、前腕部内側を開放することを可能とする機能と、袖を前腕部全体に亘り円滑に捲くり上げることを可能とした機能を有するパジャマ。
【００１３】
［請求項２］  袖口から肩方向に向かって２５〜３５ｃｍの長さで開閉可能なファスナーを取り付けることにより、袖を大きく広げることにより、前腕部内側を開放することを可能とする機能と、袖を前腕部全体に亘り円滑に捲くり上げることを可能とした機能を有するパジャマ。
【００１４】
［請求項３］  袖口に親指に引っ掛けるためのループを設けた請求項１又は２に記載したパジャマ。
【００１５】
本考案に係るパジャマは、衣類の袖口から肩方向に向かって約３０ｃｍの長さで開閉可能なファスナーを取り付けることにより、袖を大きく広げることにより、前腕部内側を開放することを可能とし、袖を前腕部全体に亘り迅速に捲くり上げることが可能としたことを特徴とする。
【００１６】
本考案に係るパジャマにおいて、使用することができるファスナーのタイプは、好ましくは、ジッパーのタイプ、チャックのタイプであるが、特に制限されるものではない。
好ましく使用することができるファスナーの具体例としては、ＹＫＫ社のＦＬＡＴＫＮＩＴ（登録商標）のサイズ；２５、チェーンタイプ；ＦＫ、区分；止、テープ；ＢＰを挙げることができるが、特に制限されるものではない。
【００１７】
袖口に設けたループ（Ｌ）を親指に引っ掛けることにより、袖の捲り上がりを防止することができる。
【考案を実施するための最良の形態】
【００１８】
本考案の最良の態様につき、図１に正面図、図２に背面図、図３に平面図、図４に底面図、図５に右側面図、図６に左側面図、図７に右袖を開いた正面の状態を拡大して示した部分図、図８に左袖を開いた正面の状態を拡大して示した部分図、図９に左袖を開いた正面の状態を拡大して示した写真、図１０に本考案に係るパジャマを製作するために使用することができるファスナーの具体例の写真を示した。
【００１９】
本考案に係るパジャマは、衣類の袖口から肩方向に向かって約３０ｃｍの長さで開閉可能なファスナーを取り付けることを特徴とする。このような構成を採用することにより、袖を大きく広げることにより、前腕部内側を開放することを可能とし、袖を前腕部全体に亘り迅速に捲くり上げることを可能とする。
【００２０】
一般的に、血液透析(人工透析)患者は、透析治療を行なうために、事前に、外科手術により、動脈側より血液を取り出し静脈側に返すためのシャント(ブラッドアクセス)を、前腕部に造設しておく。
【００２１】
予め前腕部にシャント(ブラッドアクセス)を造設した血液透析（人工透析）患者は、血液透析（人工透析）治療を受ける際に、シャント（ブラッドアクセス）を介して動脈側より血液を取り出し、取り出した血液を透析装置で透析した後、透析を終えた血液を、シャント（ブラッドアクセス）を介して静脈側に返すという処置を受ける。
【００２２】
この血液透析（人工透析）治療を受ける際には、患者前腕部に造設したシャント(ブラッドアクセス)に、人工透析装置の血液回路を接続するために、患者が着用しているパジャマの袖を捲くり上げる必要がある。従来の市販のパジャマ、又は、通常の患者用のパジャマを着用する場合には、パジャマの袖が捲り上げにくいという問題点と、長時間に亘る処置を受けている途中に捲り上げた袖が落ちてきてしまうという問題点があった。
【００２３】
本考案に係るパジャマは、衣類の袖口から肩方向に向かって約３０ｃｍの長さで開閉可能なファスナーを取り付けることにより、袖を大きく広げることにより、前腕部内側を開放することを可能とし、袖を前腕部全体に亘り迅速に捲くり上げることを可能とし、巻き上げた袖からの上腕部に対する物理的な圧迫力と心理的な圧迫感が解消され、透析治療の処置そのものも円滑に遂行することを可能とする。
【００２４】
本考案に係るパジャマは、血液透析（人工透析）患者以外にも、広く一般に好ましく使用される。例えば、人間ドック受診者が前腕部から採血する場合、患者の上腕部に注射をする場合、患者に点滴注射をする場合等には、袖を簡単に捲り上げることができるので、円滑な医療処置をすることを可能とする。
【００２５】
本考案に係るパジャマにおいて、使用することができるファスナーのタイプは、好ましくは、ジッパーのタイプ、チャックのタイプであるが、特に制限されるものではない。
好ましく使用することができるファスナーの具体例としては、ＹＫＫ社のＦＬＡＴＫＮＩＴ（登録商標）のサイズ；２５、チェーンタイプ；ＦＫ、区分；止、テープ；ＢＰを挙げることができるが、特に制限されるものではない。
【図面の簡単な説明】
【００２６】
【図１】本考案に係るパジャマの正面図である。
【図２】本考案に係るパジャマの背面図である。
【図３】本考案に係るパジャマの平面図である。
【図４】本考案に係るパジャマの底面図である。
【図５】本考案に係るパジャマの右側面図である。
【図６】本考案に係るパジャマの左側面図である。
【図７】本考案に係るパジャマの右袖を開いた正面の状態を拡大して示した部分図である。
【図８】本考案に係るパジャマの左袖を開いた正面の状態を拡大して示した部分図である。
【図９】本考案に係るパジャマの左袖を開いた正面の状態を拡大して示した写真である。
【図１０】本考案に係るパジャマを製作するために使用することができるファスナーの具体例の写真である。
【図１１】本考案に係るパジャマの正面図であって、親指に引っ掛けるためのループを設けた態様の方面図である。
【符号の説明】
【００２７】
Ｐ  パジャマ
Ｆ  ファスナー
Ｌ  ループ
【図１】
0003141385.tif 000003
【図２】
0003141385.tif 000004
【図３】
0003141385.tif 000005
【図４】
0003141385.tif 000006
【図５】
0003141385.tif 000007
【図６】
0003141385.tif 000008
【図７】
0003141385.tif 000009
【図８】
0003141385.tif 000010
【図９】
0003141385.tif 000011
【図１０】
0003141385.tif 000012
【図１１】
0003141385.tif 000013